(57)【特許請求の範囲】
【請求項１】
スケルトンの内部にインフィルを配備した住戸であって、
スケルトンを構成する少なくとも１つの躯体の平面状の室内側表面に軟質断熱材層が配置され、
前記軟質断熱材層の室内側に硬質断熱材層が配置され、
前記躯体の天井および床に固定された複数の横木が配置され、
前記複数の横木と前記躯体との間には前記軟質断熱材層と前記硬質断熱材層が配置され、
前記硬質断熱材層の室内側に複数の枠体が配置されて、前記横木に固定され、前記枠体は、縦桟および横桟を備え、前記横桟の厚さは、前記縦桟および前記横木の厚さよりも薄くなされており、
前記複数の枠体と前記躯体との間には前記軟質断熱材層と前記硬質断熱材層が配置されている
ことを特徴とする住戸。
【請求項２】
請求項１の住戸の断熱工法であって、
まず、スケルトンを構成する躯体の平面状の室内側表面に軟質断熱材層を配置し、
次いで、前記軟質断熱材層の室内側表面に硬質断熱材層を配置し、
次いで、前記硬質断熱材層の室内側に複数の枠体を互いに接するように配置する
ことを特徴とする住戸の断熱工法。
【請求項３】
請求項１の住戸の断熱工法であって、
まず、スケルトンを構成する躯体の平面状の室内側表面に軟質断熱材層を配置し、
次いで、前記軟質断熱材層の室内側に、躯体側に硬質断熱材層が配置された複数の枠体を互いに接するように配置する
ことを特徴とする住戸の断熱工法。
【請求項４】
請求項１の住戸の断熱工法であって、
まず、スケルトンを構成する躯体の平面状の室内側表面に軟質断熱材層および硬質断熱材層が躯体側からこの順に配置された複数の枠体を予め用意し、これらの複数の枠体を躯体の室内側に互いに接するように配置する
ことを特徴とする住戸の断熱工法。
【請求項５】
スケルトンの内部にインフィルを配備した住戸であって、
スケルトンを構成する少なくとも１つの躯体の平面状の室内側表面に軟質断熱材層が配置され、
前記軟質断熱材層の室内側に硬質断熱材層が配置され、
前記躯体の天井および床に固定された複数の横木が配置され、
前記複数の横木と前記躯体との間には前記軟質断熱材層と前記硬質断熱材層が配置されている
ことを特徴とする住戸。
【請求項６】
スケルトンの内部にインフィルを配備した住戸であって、
スケルトンを構成する少なくとも１つの躯体の平面状の室内側表面に軟質断熱材層が配置され、
前記軟質断熱材層の室内側に硬質断熱材層が配置され、
前記躯体の天井および床に固定された複数の横木が配置され、
前記複数の横木と前記躯体との間には前記軟質断熱材層と前記硬質断熱材層が配置され、
前記硬質断熱材層の室内側に複数の枠体が配置されて、前記横木に固定され、
前記複数の枠体と前記躯体との間には前記軟質断熱材層と前記硬質断熱材層が配置されて、
前記枠体は１対の縦桟および複数の横桟からなり、前記横桟の厚さは、前記縦桟および前記横木の厚さよりも薄くなされており、
前記縦桟および前記横桟に囲まれた空間が室内側に形成されていることを特徴とする住戸。
【発明の詳細な説明】
【技術分野】
【０００１】
この発明は、住戸および住戸の断熱工法に関し、特に、スケルトンの内部にインフィルを配備した住戸およびスケルトンの内部にインフィルを配備した住戸の断熱工法に関する。
【背景技術】
【０００２】
集合住宅においては、柱、梁、スラブ、壁などのスケルトン（躯体の集合体）と、間仕切り、設備、内装などのインフィル（住戸用構成）とを分離し、スケルトンをそのままにして、インフィルだけを変更して間取りを自由に変えることができるスケルトン・インフィル構造が多く用いられている。
【０００３】
このようなスケルトンの内部にインフィルを配備した住戸を含む集合住宅として、特許文献１には、スケルトンを構成する躯体の室内側に床パネル、天井パネル、壁などのベースパネルを取り付けるものが開示されている。
【先行技術文献】
【特許文献】
【０００４】
【特許文献１】特開２００５−１６２２１号公報
【発明の概要】
【発明が解決しようとする課題】
【０００５】
集合住宅の住戸においては、スケルトンを構成する各躯体の表面状態が住戸によって様々であることから、上記特許文献１の集合住宅では、躯体とベースパネルの断熱材との間に隙間が発生し、断熱性能が低下して、結露が発生しやすくなるという問題があった。
【０００６】
この発明の目的は、断熱性能の向上および結露の防止を可能とする住戸および住戸の断熱工法を提供することにある。
【課題を解決するための手段】
【０００７】
この発明による住戸（第１の発明による住戸）は、スケルトンの内部にインフィルを配備した住戸であって、スケルトンを構成する少なくとも１つの躯体の平面状の室内側表面に軟質断熱材層が配置され、前記軟質断熱材層の室内側に硬質断熱材層が配置され、前記躯体の天井および床に固定された複数の横木が配置され、前記複数の横木と前記躯体との間には前記軟質断熱材層と前記硬質断熱材層が配置され、前記硬質断熱材層の室内側に複数の枠体が配置されて、前記横木に固定され、前記枠体は、縦桟および横桟を備え、前記横桟の厚さは、前記縦桟および前記横木の厚さよりも薄くなされており、前記複数の枠体と前記躯体との間には前記軟質断熱材層と前記硬質断熱材層が配置されていることを特徴とするものである。
【０００８】
硬質断熱材層を形成する断熱材は、例えばＪＩＳＡ９５１１に記載の発泡プラスチック系断熱材から得ることができる。ＪＩＳＡ９５１１準拠の発泡プラスチック系断熱材としては、フェノール樹脂発泡体、硬質ウレタンフォームなどが例示される。硬質断熱材層を形成する断熱材は、軟質断熱材層に比べて断熱性に優れるものであれば、ＪＩＳＡ９５１１に記載の発泡プラスチック系断熱材以外のものであってもよい。
【０００９】
軟質断熱材層は、硬質断熱材層の断熱材に比べて軟らかい材質の断熱材で形成される。具体的には、スポンジ、グラスウールなどとされる。スポンジとしては、ポリウレタンスポンジ、ゴムスポンジ、ポリエチレンスポンジなどを使用できる。グラスウールを使用する場合、保護シートなどでカバーされていないものが好ましい。
【００１０】
枠体は、通常、１対の縦桟および複数の横桟からなるものとされる。１対の縦桟と上下に隣り合う横桟との間に形成される空間が断熱材片配置空間とされ、この空間に断熱材片が充填される。１つの集合住宅（の住戸）で使用される枠体は、１種類としてもよく、横桟の数や位置などが異なる複数種類としてもよい。
【００１１】
枠体内に充填される断熱材片の形状は、枠体の空間に合わせて方形板状とされる。断熱材片は、例えばＪＩＳＡ９５１１に記載の発泡プラスチック系断熱材から得ることができる。断熱材片を形成する断熱材は、硬質断熱材層を形成する断熱材と同じであってもよいし、異なるものであってもよい。断熱材片を形成する断熱材は、ＪＩＳＡ９５１１に記載の発泡プラスチック系断熱材以外のものであってもよい。
【００１２】
軟質断熱材層を形成する断熱材は、断熱性よりも変形容易性を重視して選定され、軟質断熱材層が躯体の室内側に配置されることで、躯体の表面にある凹凸や傾斜が軟質断熱材層によって吸収され、軟質断熱材層と躯体との間に隙間ができることが防止される。したがって、隙間に室内空気が流入することによる結露発生が防止される。
【００１３】
軟質断熱材層は、ＪＩＳＡ９５１１に記載の発泡プラスチック系断熱材に比べると、断熱性が劣っており、軟質断熱材層１層だけで所要の断熱性を得ようとすると、断熱材層の厚さを厚くする必要があり、室内面積が狭くなるという問題が生じる。断熱材層を軟質断熱材層と硬質断熱材層との２層構造とすることで、室内面積が狭くなるというデメリットを抑えて、断熱性能の向上および結露の防止が可能となる。
【００１４】
枠体内にも断熱材片が充填されることで、軟質断熱材層および硬質断熱材層の２層と枠体内の断熱材片とを合わせた３層の断熱構造となり、さらに、断熱性能が向上したものとなる。枠体を使用することで、内壁の構造強度を高いものとできる。枠体は、天井および床に固定された横木に固定され、これにより、枠体表面の面一が形成される。このようにすることで、枠体を天井および床に対して適正かつ確実に位置決めすることができ、より精度の高い内壁用表面材の面一が形成される。また、枠体を利用して、内壁面から種々物品のビス、釘固定が可能となる。枠体を使用した場合には、枠体が熱橋となる恐れがあるが、枠体の躯体側全面に硬質断熱材層が配置されることで、熱橋ができることが防止されるので、内壁の構造強度確保と断熱性能の向上とを両立させることができる。
【００１５】
軟質断熱材層、硬質断熱材層および断熱材片（枠体）の厚さは、特に限定されるものではなく、断熱性能の向上および結露の防止を考慮して適宜設定される。気密をとる硬質断熱材層の厚みを薄くして、不足分を断熱材片で補うことが好ましく、軟質断熱材層の厚み＜硬質断熱材層の厚み＜断熱材片の厚みとされていることがより好ましい。
【００１６】
硬質断熱材層および／または断熱材片に使用される好ましい断熱材の１例は、フェノール樹脂発泡体であり、好ましいフェノール樹脂のタイプは、レゾール樹脂である。レゾール樹脂は、フェノール、又はクレゾール、キシレノール、パラアルキルフェノール、パラフェニールフェノール、レゾルシノール等のフェノール化合物と、ホルムアルデヒド、フルフラール、アセトアルデヒド等のアルデヒドとの、触媒としての水酸化ナトリウム、水酸化カリウム、水酸化カルシウム、又はトリメチルアミンやトリエチルアミン等の脂肪族アミンの存在下での化学反応によって得ることができる。又、密度は２０Ｋｇ／ｍ２以上、制限酸素指数２６％以上、ホルムキャッチャー剤を使用し、ＶＯＣ発生を抑制したものが好ましい。
【００１７】
通常、硬質断熱材層および／または断熱材片を形成する断熱材の両面には、ガラス繊維混抄紙、寒冷紗、織布、不織布、紙、ライナー紙、エンボス加工紙、複合紙などの面材が積層される。
【００１８】
上記の住戸を設置するに際し、軟質断熱材層、硬質断熱材層および枠体内の断熱材片は、それぞれ、別個に取り付けられるようにしてもよく、また、枠体に予め取り付けられているようにしてもよい。
【００１９】
第１の発明による住戸の断熱工法は、スケルトンの内部にインフィルを配備した住戸の断熱工法であって、まず、スケルトンを構成する躯体の平面状の室内側表面に軟質断熱材層を配置し、次いで、前記軟質断熱材層の室内側表面に硬質断熱材層を配置し、次いで、前記硬質断熱材層の室内側に複数の枠体を互いに接するように配置することを特徴とするものである。
【００２０】
第２の発明による住戸の断熱工法は、スケルトンの内部にインフィルを配備した住戸の断熱工法であって、まず、スケルトンを構成する躯体の平面状の室内側表面に軟質断熱材層を配置し、次いで、前記軟質断熱材層の室内側に、躯体側に硬質断熱材層が配置された複数の枠体を互いに接するように配置する
ことを特徴とする
ものである。
【００２１】
第３の発明による住戸の断熱工法は、スケルトンの内部にインフィルを配備した住戸の断熱工法であって、まず、スケルトンを構成する躯体の平面状の室内側表面に軟質断熱材層および硬質断熱材層が躯体側からこの順に配置された複数の枠体を予め用意し、これらの複数の枠体を躯体の室内側に互いに接するように配置することを特徴とするものである。
【００２２】
第１から第３までの発明の住戸の断熱工法のいずれを使用するかは、断熱の対象となるスケルトンを構成する各躯体の状況（大きさ、形状など）に応じて適宜選択することができる。第１から第３までの住戸の断熱工法の２つ以上を組み合わせて使用することもできる。いずれにしろ、この発明の住戸の断熱工法によると、断熱性能の向上および結露の防止を可能とする上記の住戸（これに類似した構造物を含む）を容易に設置することができる。
【００２３】
各発明の住戸の断熱工法の実施に際しては、硬質断熱材層に生じた目地を室内側から塞ぐことが好ましい。また、枠体と断熱材片との間に生じた目地を室内側から塞ぐことが好ましい。目地を塞ぐには、例えば室内側から気密テープを貼り付ければよい。
【００２４】
各発明の住戸の断熱工法の実施に際し、断熱材片を接着剤によって硬質断熱材層に貼り付けるようにしてもよい。この場合、枠体と断熱材片との間に生じた目地を室内側から塞ぐ作業（枠体と断熱材片との間の気密テープ）を省略することが好ましい。このようにすることで、施工性と気密性とを高いレベルで両立させることができる。
【００２５】
各発明の住戸の断熱工法の実施に際し、各枠体の縦桟の断面形状がＬ字状とされており、コーナー部の納まり用として、全体として断面が方形になるように、断面形状がＬ字状の縦桟（単体の縦桟）を枠体の縦桟に嵌め合わせることが好ましい。
【００２６】
出隅においては、Ｌ字状の単体の縦桟が枠体の縦桟に嵌め合わされた第１の枠体とＬ字状の単体の縦桟が枠体の縦桟に嵌め合わされた第２の枠体とが直交するように直接突き合わされることで、別途の角材は不要とされる。
【００２７】
入隅においては、Ｌ字状の単体の縦桟が枠体の縦桟に嵌め合わされた第１の枠体とＬ字状の単体の縦桟が枠体の縦桟に嵌め合わされた第２の枠体とが直交するように角材を介して突き合わされる。
【００２８】
上記の住戸を構成する（各住戸の断熱工法で使用される）部材としては、１対の縦桟および複数の横桟からなる枠体が単体で使用されることがあり、また、必要に応じて、この枠体に断熱材層（硬質断熱材層のみまたは硬質断熱材層および軟質断熱材層の両方）が予め貼り付けられたもの（この明細書において「枠部材」と称す）が使用されることがある。
【００２９】
１対の縦桟および複数の横桟は、いずれも断面方形状であってよいが、縦桟については、隣り合う枠体の縦桟に嵌め合わせ可能な嵌合部が形成されていることが好ましい。このような嵌合部を得るには、例えば、縦桟の断面形状をＬ字状として、一方の縦桟の向きと他方の縦桟の向きとが逆になるようにすればよい。
【００３０】
このようにすると、隣り合う枠体間の相対位置が若干ずれたとしても、隙間が生じにくいものとなり、仕上げ精度の向上が図れるとともに、気密性が向上する。
【００３１】
また、上記の枠体としては、１対の縦桟および複数の横桟からなり、各横桟の室内側の面は、各縦桟の室内側の面よりも凹まされていることが好ましい。
【００３２】
このようにすると、横桟の室内側にスペースが形成され、このスペースを利用して配線等を通すことができる。
【００３３】
複数の横桟のうち縦桟の端部に配置されているものは、縦桟の端面よりも突出するようになされていることがある。
【００３４】
このようにすると、端部の横桟を使用して、相手側の横桟等との正面からのビス固定が可能となり、固定を容易にかつ確実に行うことができる。
【００３５】
第２の発明の住戸の断熱工法で使用される枠体は、枠体の躯体側に硬質断熱材層が固定されたものとされる。
【００３６】
硬質断熱材層は、例えば、枠体の躯体側の全面に貼り付けられる。硬質断熱材層の枠体への貼り付けは、硬質断熱材層の一部（例えば左半面）だけを枠体に重ね合わせて貼り付けるようにし、硬質断熱材層の残部（例えば右半面）を枠体から露出するようにして行ってもよい。硬質断熱材層の大きさ（面積）は、枠体と同じであってもよく、枠体よりも大きくてもよい。
【００３７】
また、第３の発明の住戸の断熱工法で使用される枠体は、枠体の躯体側に硬質断熱材層が固定され、硬質断熱材層の躯体側に軟質断熱材層が固定されたものとされる。
【００３８】
硬質断熱材層は、例えば、枠体の躯体側の全面に貼り付けられる。硬質断熱材層の枠体への貼り付けは、硬質断熱材層の一部（例えば左半面）だけを枠体に重ね合わせて貼り付けるようにし、硬質断熱材層の残部（例えば右半面）を枠体から露出するようにして行ってもよい。硬質断熱材層の大きさ（面積）は、枠体と同じであってもよく、枠体よりも大きくてもよい。軟質断熱材層は、硬質断熱材層の躯体側の全面に貼り付ければよく、軟質断熱材層の一部（例えば右半面）だけを硬質断熱材層に重ね合わせて貼り付けるようにし、軟質断熱材層の残部（例えば左半面）を硬質断熱材層から露出するようにして行ってもよい。
【００３９】
この発明による住戸（第２の発明による住戸）は、スケルトンの内部にインフィルを配備した住戸であって、スケルトンを構成する少なくとも１つの躯体の平面状の室内側表面に軟質断熱材層が配置され、前記軟質断熱材層の室内側に硬質断熱材層が配置され、前記躯体の天井および床に固定された複数の横木が配置され、前記複数の横木と前記躯体との間には前記軟質断熱材層と前記硬質断熱材層が配置されていることを特徴とするものである。
【００４０】
この発明による住戸（第３の発明による住戸）は、スケルトンの内部にインフィルを配備した住戸であって、スケルトンを構成する少なくとも１つの躯体の平面状の室内側表面に軟質断熱材層が配置され、前記軟質断熱材層の室内側に硬質断熱材層が配置され、前記躯体の天井および床に固定された複数の横木が配置され、前記複数の横木と前記躯体との間には前記軟質断熱材層と前記硬質断熱材層が配置され、前記硬質断熱材層の室内側に複数の枠体が配置されて、前記横木に固定され、前記複数の枠体と前記躯体との間には前記軟質断熱材層と前記硬質断熱材層が配置されて、前記枠体は１対の縦桟および複数の横桟からなり、前記横桟の厚さは、前記縦桟および前記横木の厚さよりも薄くなされており、前記縦桟および前記横桟に囲まれた空間が室内側に形成されていることを特徴とするものである。
【発明の効果】
【００４１】
この発明の住戸によると、スケルトンを構成する各躯体の表面にある凹凸や傾斜が軟質断熱材層によって吸収され、スケルトンとインフィル（住戸用構成）との間に隙間ができることが防止されて、隙間に室内空気が流入することによる結露発生が防止される。また、枠体を使用することで、内壁の構造強度を高いものとでき、しかも、精度の高い内壁用表面材の面一が形成される。こうして、室内面積が狭くなるというデメリットを抑えて、断熱性能の向上、結露の防止および内壁の構造強度確保を達成することができる。
【００４２】
この発明の住戸の断熱工法によると、上記の住戸を容易に設置することができる。
【図面の簡単な説明】
【００４３】
【図１】図１は、この発明による住戸の１実施形態を示す断面図である。
【図２】図２は、第１の発明による住戸の断熱工法で使用される枠体を示す図であり、（ａ）は平面図、（ｂ）は正面図、（ｃ）は一部を切り欠いた側面図である。
【図３】図３は、図２の枠体を複数配置した状態を示す平面図である。
【図４】図４は、第２の発明による住戸の断熱工法で使用される枠部材を示す図であり、（ａ）は平面図、（ｂ）は正面図、（ｃ）は側面図である。
【図５】図５は、第３の発明による住戸の断熱工法で使用される枠部材を示す図であり、（ａ）は平面図、（ｂ）は正面図、（ｃ）は側面図である。
【図６】図６は、この発明による集合住宅および住戸の断熱工法で使用される枠体の他の例を示す図であり、（ａ）は平面図、（ｂ）は正面図、（ｃ）は側面図である。
【図７】図７は、図６の枠体の取付け状態の例を示す側面図である。
【図８】図８は、第１の発明による住戸の断熱工法を実施するに際しての好ましい気密性確保構造の１例を示す斜視図である。
【図９】図９は、第１の発明による住戸の断熱工法を実施するに際しての好ましい気密性確保構造の他の例を示す斜視図である。
【図１０】図１０は、この発明による住戸の断熱工法を実施するに際しての好ましいコーナー部（出隅および入隅）の納まりを示す水平断面図である。
【発明を実施するための形態】
【００４４】
この発明の実施の形態を、以下図面を参照して説明する。以下の説明において、上下は、図１の上下をいうものとする。
【００４５】
図１は、この発明による住戸の１実施形態を示しており、住戸(1)は、集合住宅用のもので、スケルトンの内部にインフィルを配備した住戸を含むもので、その断熱構造として、スケルトンを構成する躯体(C)の室内側に配置された軟質断熱材層(2)と、軟質断熱材層(2)の室内側に配置された硬質断熱材層(3)と、硬質断熱材層(3)の室内側に配置された格子状の枠体(4)と、枠体(4)内に充填された板状の断熱材片(5)とを備えている。
【００４６】
軟質断熱材層(2)は、ポリウレタンスポンジによって形成されている。硬質断熱材層(3)および板状の断熱材片(5)は、フェノール樹脂発泡体によって形成されている。
【００４７】
枠体(4)は、図２にも示すように、１対の縦桟(11)および複数の横桟(12)からなる木枠とされている。
【００４８】
板状の断熱材片(5)は、横桟(12)と同じ厚さ（図１における左右方向の寸法）とされて、１対の縦桟(11)と上下に隣り合う横桟(12)との間に形成された空間に嵌め入れられている。
【００４９】
図２（ａ）に示されているように、各横桟(12)の厚さ（図２（ａ）における上下方向の寸法＝図１における左右方向の寸法）は、縦桟(11)の厚さ（図２（ａ）における上下方向の寸法＝図１における左右方向の寸法）よりも薄くなされて、各横桟(12)の躯体側の面(12a)は、各縦桟(11)の躯体側の面(11a)と面一とされ、各横桟(12)の室内側の面(12b)は、各縦桟(11)の室内側の面(11b)よりも凹まされている。これにより、横桟(12)の室内側に電気配線等を通すことができるスペース（面(11b)と面(12b)との間の間隙）が形成されている。
【００５０】
各部材の寸法の１例を挙げると、軟質断熱材層(2)の厚さが１０ｍｍ、硬質断熱材層(3)の厚さが１５ｍｍ、縦桟(11)の厚さが４０ｍｍ、幅が４０ｍｍ、高さが１９５０ｍｍ、横桟(12)の厚さが３０ｍｍ、幅が４１０ｍｍ、高さが３０ｍｍ、横桟(12)と横桟(12)との間隔が４５０ｍｍ、断熱材片(5)の厚さが３０ｍｍ、幅が４１０ｍｍ、高さが４５０ｍｍなどとされている。
【００５１】
すなわち、軟質断熱材層(2)の厚み＜硬質断熱材層(3)の厚み＜断熱材片(5)の厚みとされて、気密をとる硬質断熱材層(3)の厚みを薄くして、不足分を断熱材片(5)で補うようになされている。
【００５２】
上記の住戸(1)によると、ポリウレタンスポンジによって形成されていることで変形が容易な軟質断熱材層(2)が躯体(C)の室内側に配置されていることで、躯体(C)の表面にある凹凸や傾斜が軟質断熱材層(2)によって吸収される。したがって、軟質断熱材層(2)と躯体(C)との間に隙間ができることが防止され、隙間に室内空気が流入することによる結露発生が防止される。
【００５３】
ポリウレタンスポンジによって形成されている軟質断熱材層(2)は、相対的に断熱性が劣っており、軟質断熱材層(2)１層だけで所要の断熱性を得ようとすると、軟質断熱材層(2)の厚さを厚くする必要があり、室内面積が狭くなるという問題が生じる。フェノール樹脂発泡体によって形成されている硬質断熱材層(3)は、相対的に断熱性が優れており、硬質断熱材層(3)の厚さを例えば１５ｍｍ程度としても、これが全面に使用されていることで、熱橋を防止することができ、十分な断熱性の向上を達成することができる。そして、枠体(4)内にある空間を利用して、この空間に断熱材片(5)が充填されていることで、さらに、断熱性能が向上している。
【００５４】
こうして、断熱材層を軟質断熱材層(2)と硬質断熱材層(3)との２層構造とし、さらに、枠体(4)内の断熱材片(5)とを合わせた３層の断熱構造とすることで、室内面積が狭くなるというデメリットを抑えた上で、断熱性能の向上および結露の防止を両立させることができる。
【００５５】
枠体(4)は、その上下端部が天井および床に固定されている横木(9)に固定され、これにより、枠体(4)が天井および床に対して適正かつ確実に位置決めされて、枠体(4)表面の面一が形成される。枠体(4)を使用することで、人や物が壁にぶつかったりした際の断熱材片(5)のへこみ等が防止される。また、枠体(4)を利用して、内壁面から種々物品のビス、釘固定が可能となる。枠体(4)を使用した場合には、枠体(4)が熱橋となる恐れがあるが、枠体(4)の躯体側全面に硬質断熱材層(3)が配置されていることで、熱橋ができることが防止され、内壁の構造強度確保と断熱性能の向上とを両立させることができる。
【００５６】
図２に示した枠体(4)を使用して上記の住戸(1)を得るには、まず、躯体(C)の室内側全面に軟質断熱材層(2)を配置し、次いで、軟質断熱材層(2)の室内側全面に硬質断熱材層(3)を配置し、次いで、硬質断熱材層(3)の室内側に複数の枠体(4)を互いに接するように配置し、次いで、断熱材片(5)を枠体(4)内に形成されている空間に配置すればよい（第１の発明による住戸の断熱工法）。
【００５７】
軟質断熱材層(2)および硬質断熱材層(3)は、接着剤を使用して貼り付ければよい。枠体(4)は、予め躯体(C)に接着剤等で固定されている横木(9)に、ビスで固定すればよい。横木(9)は、軟質断熱材層(2)および硬質断熱材層(3)の貼り付け前に躯体(C)に固定してもよく、軟質断熱材層(2)および硬質断熱材層(3)の貼り付け後に躯体(C)に固定してもよい。断熱材片(5)は、枠体(4)内に形成されている空間に合わせて方形板状に切断して、空間内に嵌め入れればよい。枠体(4)は、必要に応じて適宜な寸法に切断される。部材同士の固定は、タッカー、ビス、くぎ、ネジなどの固定具による機械式固定、接着剤・テープなどによる接着式固定などの適宜な手段で行われる。
【００５８】
図２に示すように、各縦桟(11)は、断面形状がＬ字状とされており、一方の縦桟(11)の向きと他方の縦桟(11)の向きとが逆になるように配置されている。これにより、隣り合う枠体(4)の縦桟(11)に嵌め合わせ可能な凸部(13a)および凹部(13b)からなる嵌合部(13)が形成されている。したがって、枠体(4)同士を隣り合って配置した際には、図３に示すように、それぞれの凸部(13a)と凹部(13b)とが嵌め合わされて、互いに位置決めされる。各縦桟(11)は、断面形状が方形であってもよいことはもちろんであるが、嵌合部(13)が形成されているものとすることで、隣り合う枠体(4)間の相対位置が若干ずれたとしても、凸部(13a)と凹部(13b)とが接触している状態が維持されて隙間が生じにくいものとなり、仕上げ精度の向上が図れるとともに、気密性が向上する。
【００５９】
上記の住戸(1)を得るには、図４に示した枠部材(6)を使用することもできる。この枠部材(6)は、図２に示した枠体(4)と、枠体(4)の躯体側に貼り付けられた硬質断熱材層(3)とからなる。
【００６０】
図４に示した枠部材(6)を使用して上記の住戸(1)を得るには、まず、躯体(C)の室内側全面に軟質断熱材層(2)を配置し、次いで、軟質断熱材層(2)の室内側に、図４に示した枠部材(6)を互いに接するように配置し、次いで、断熱材片(5)を枠部材(6)の枠体(4)内に形成されている空間に合わせて方形板状に切断して、嵌め入れればよい（第２の発明による住戸の断熱工法）。
【００６１】
第２の発明による住戸の断熱工法によると、硬質断熱材層(3)が予め枠体(4)に貼り付けられているので、第１の発明による住戸の断熱工法に比べて、現場での作業を軽減することができる。
【００６２】
上記の住戸(1)を得るには、図５に示した枠部材(7)を使用することもできる。この枠部材(7)は、図２に示した枠体(4)と、枠体(4)の躯体側に貼り付けられた硬質断熱材層(3)と、硬質断熱材層(3)の躯体側に貼り付けられた軟質断熱材層(2)とからなる。
【００６３】
図５に示した枠部材(7)を使用して上記の住戸(1)を得るには、躯体(C)の室内側全面に、図５に示した枠部材(7)を互いに接するように配置し、次いで、断熱材片(5)を枠部材(7)の枠体(4)内に形成されている空間に合わせて方形板状に切断して、嵌め入れればよい（第３の発明による住戸の断熱工法）。
【００６４】
この第３の発明による住戸の断熱工法によると、軟質断熱材層(2)および硬質断熱材層(3)が予め枠体(4)に貼り付けられているので、第１および第２の発明による住戸の断熱工法に比べて、現場での作業を軽減することができる。
【００６５】
枠体(4)の形状については、上記のものに限られず、適宜変更することができる。図６に、枠体(8)の他の実施形態を示す。
【００６６】
図６において、枠体(8)は、１対の縦桟(14)および複数の横桟(15)(16)からなる木枠とされている。
【００６７】
各縦桟(14)は、図２に示したものと同一形状であり、断面形状がＬ字状とされることで、隣り合う枠体(8)の縦桟(13)に嵌め合わせ可能な凸部(17a)および凹部(17b)からなる嵌合部(17)が形成されている。
【００６８】
最上段と最下段とにある横桟(16)は、縦桟(14)の端面から突出するように設けられている。中間段の横桟(15)は、図２に示したものとは違う上下間隔で配置されている。
【００６９】
この枠体(8)では、最上段と最下段とにある横桟(16)が縦桟(14)の端面から突出するように設けられていることで、図７に示すように、壁に固定されたＬ字状の横木(10)に嵌め合わせることができる。このようにすると、ビスによる固定に際し、ビスを斜めに打ち込むのではなく、水平に打ち込むことができ、固定作業が容易となる。
【００７０】
図示省略するが、この枠体(8)に硬質断熱材層(3)を貼り付けた状態で使用するようにしてもよく（図４参照）、この枠体(8)に硬質断熱材層(3)および軟質断熱材層(2)を貼り付けた状態で使用するようにしてもよい（図５参照）。
【００７１】
上記において、断熱材として予め切断した断熱材（廃材）を用いることにより、工期を短縮でき、しかも、廃材が出ない住戸の断熱工法を実施することができる。
【００７２】
上記の住戸の断熱工法の実施に際しては、図８および図９に示すように、気密性確保のための構造を追加することが好ましい。
【００７３】
図８において、硬質断熱材層(3)の施工に際しては、隣り合う硬質断熱材同士の間に生じた目地(J1)に、室内側から気密テープ(21)が貼り付けられる。そして、断熱材片(5)の施工に際しては、枠体(4)と断熱材片(5)との間に生じた目地(J2)に、室内側から気密テープ(22)が貼り付けられる。気密テープ(22)は、目地(J2)を塞ぐとともに、断熱材片(5)を固定する機能も有しており、断熱材片(5)に接着剤を塗布することは省略することができる。
【００７４】
気密テープ(21)(22)としては、例えばパイオラン（登録商標）などのアクリル系気密テープが使用されるが、これに限定されるものではない。
【００７５】
図９において、硬質断熱材層(3)の施工に際しては、隣り合う硬質断熱材同士の間に生じた目地(J1)に、室内側から気密テープ(21)が貼り付けられる。そして、枠体(4)と断熱材片(5)との間の気密テープ(22)は省略されて、断熱材片(5)は、接着剤(23)によって硬質断熱材層(3)に貼り付けられる。
【００７６】
接着剤としては、例えばクロロプレンゴム系溶剤形接着剤が使用されるが、これに限定されるものではない。
【００７７】
図８の気密構造とすることで、極めて高い気密状態を得ることができ、これにより、ＩＶ地域と区分されている南東北〜九州における累積結露発生時間を０とすることができる。
【００７８】
また、図９の気密構造とすることによっても、極めて高い気密状態を得ることができ、これにより、ＩＶ地域と区分されている南東北〜九州における累積結露発生時間を０とすることができる。図９の気密構造は、施工性の点で、図８の気密構造よりも優れており、より好ましい。
【００７９】
各枠体(4)の縦桟(11)の断面形状がＬ字状とされていることから、図１０に示すように、コーナー部の納まり用として、全体として断面が方形になるように、断面形状がＬ字状の単体の縦桟(20)が枠体(4)の縦桟(11)に嵌め合わされる。
【００８０】
図１０（ａ）に示す出隅において、断面Ｌ字状の単体の縦桟(20)が縦桟(11)に嵌め合わされた第１の枠体(4A)と、断面Ｌ字状の単体の縦桟(20)が縦桟(11)に嵌め合わされた第２の枠体(4B)とが直交するように直接突き合わされている。これにより、別途の角材は不要とされている。
【００８１】
図１０（ｂ）に示す入隅において、断面Ｌ字状の単体の縦桟(20)が縦桟に嵌め合わされた第１の枠体(4A)と、断面Ｌ字状の単体の縦桟(20)が縦桟(11)に嵌め合わされた第２の枠体(4B)とが直交するように角材(19)を介して突き合わされている。
【００８２】
こうして、枠体(4)の縦桟(11)を断面Ｌ字状とした場合のコーナー部の納まりに関しては、枠体(4)の縦桟(11)と同一形状の単体の縦桟(20)を使用することで、簡単に実施することができる。
【００８３】
なお、枠体(4)の縦桟の断面形状自体を方形にした場合には、Ｌ字状の単体の縦桟を省略することができ、出隅においては、第１の枠体と第２の枠体とが直交するように直接突き合わされることで、別途の角材は不要とされ、入隅においては、第１の枠体と第２の枠体とが直交するように角材を介して突き合わされる。
【００８４】
上記において、軟質断熱材層(2)がポリウレタンスポンジとされ、硬質断熱材層(3)および断熱材片(5)がフェノール樹脂発泡体とされているのは、１例であり、相対的に変形が容易な軟質断熱材層(2)と相対的に断熱性に優れた硬質断熱材層(3)および断熱材片(5)という条件を有している断熱材であれば、軟質断熱材層(2)、硬質断熱材層(3)および断熱材片(5)を形成する断熱材として種々のものが使用できる。例えば、硬質断熱材層(3)および断熱材片(5)を形成する断熱材は、ＪＩＳＡ９５１１に記載のフェノール樹脂発泡体以外の発泡プラスチック系断熱材としてもよいし、グラスウールのような繊維状の断熱材であってもよい。また、軟質断熱材層(2)には、ポリウレタンスポンジに代えてグラスウールを使用することもできる。
【符号の説明】
【００８５】
(1)       住戸
(2)       軟質断熱材層
(3)       硬質断熱材層
(4)       枠体
(8)       枠体
(c)       躯体
【図１】
0006554142.tif 000002
【図２】
0006554142.tif 000003
【図３】
0006554142.tif 000004
【図４】
0006554142.tif 000005
【図５】
0006554142.tif 000006
【図６】
0006554142.tif 000007
【図７】
0006554142.tif 000008
【図８】
0006554142.tif 000009
【図９】
0006554142.tif 000010
【図１０】
0006554142.tif 000011